(57)【特許請求の範囲】
【請求項１】
コヒーレントな光を発する光源と、この光源からの光を多分割された単位区画ごとに主となる出射方向および所定の切り捨て方向のいずれか一方に反射する複数の光反射素子を有し、上記出射方向に進む光を信号光として出射する空間光変調器と、上記信号光をホログラム記録媒体に照射するための信号光学系とを備えたホログラム記録装置であって、
上記空間光変調器の光反射素子によって上記所定の切り捨て方向に間引かれた光を集光し、当該光の波面を整形する波面整形手段と、
上記波面整形手段から出射した光を参照光として上記ホログラム記録媒体上で上記信号光と重なるように照射するための参照光学系と、
を備えていることを特徴とする、ホログラム記録装置。
【請求項２】
上記波面整形手段は、光を集光する集光レンズ、この集光レンズの焦点に位置する光学フィルタ、および当該光学フィルタからの光を平行光として出射するコリメータレンズにより構成されている、請求項１に記載のホログラム記録装置。
【請求項３】
上記光源の出力状態を監視するためのパワーモニタ用受光センサを備え、上記光学フィルタには、低周波成分の光を透過して上記コリメータレンズへと導く中央透過部と、この中央透過部の周辺で高周波成分の光を反射して上記パワーモニタ用受光センサへと導く周辺反射部とが設けられている、請求項２に記載のホログラム記録装置。
【請求項４】
上記光源の出力状態を監視するためのパワーモニタ用受光センサを備え、上記光学フィルタには、低周波成分の光を反射して上記コリメータレンズへと導く中央反射部と、この中央反射部の周辺で高周波成分の光を透過して上記パワーモニタ用受光センサへと導く周辺透過部とが設けられている、請求項２に記載のホログラム記録装置。
【請求項５】
上記光学フィルタには、低周波成分の光を通して上記コリメータレンズへと導くピンホールが設けられている、請求項２に記載のホログラム記録装置。
【請求項６】
コヒーレントな光を発する光源と、この光源からの光を２方向に分離するビームスプリッタと、このビームスプリッタで分離された一方の光を多分割された単位区画ごとに主となる出射方向および所定の切り捨て方向のいずれか一方に反射する複数の光反射素子を有し、上記出射方向に進む光を信号光として出射する空間光変調器と、上記信号光をホログラム記録媒体に照射するための信号光学系と、上記ビームスプリッタで分離された他方の光を参照光として上記ホログラム記録媒体上で上記信号光と重なるように照射するための参照光学系と、上記光源の出力状態を監視するためのパワーモニタ用受光センサとを備えたホログラム記録装置であって、
上記空間光変調器の光反射素子によって上記所定の切り捨て方向に間引かれた光を集光し、当該光を上記パワーモニタ用受光センサに導くためのパワーモニタ光学系を備えていることを特徴とする、ホログラム記録装置。
【請求項７】
コヒーレントな光を発する光源と、この光源からの光を２方向に分離するビームスプリッタと、このビームスプリッタで分離された一方の光を多分割された単位区画ごとに主となる出射方向および所定の切り捨て方向のいずれか一方に反射する複数の光反射素子を有し、上記出射方向に進む光を信号光として出射する空間光変調器と、上記信号光をホログラム記録媒体に照射するための信号光学系と、上記ビームスプリッタで分離された他方の光を参照光として上記ホログラム記録媒体上で上記信号光と重なるように照射するための参照光学系と、上記ホログラム記録媒体に対する上記信号光学系および参照光学系の相対的な位置あるいは姿勢を制御するためのサーボ用受光センサとを備えたホログラム記録装置であって、
上記空間光変調器の光反射素子によって上記所定の切り捨て方向に間引かれた光を集光し、当該光の波面を整形する波面整形手段と、
上記波面整形手段から出射した光をサーボ光として上記ホログラム記録媒体に照射し、それに応じて当該ホログラム記録媒体から戻ってきた光を上記サーボ用受光センサに導くためのサーボ光学系と、
を備えていることを特徴とする、ホログラム記録装置。
【発明の詳細な説明】
【技術分野】
【０００１】
本発明は、ホログラム記録媒体に信号光と参照光とを重ねるように照射してホログラムを記録するホログラム記録装置に関する。
【背景技術】
【０００２】
従来のホログラム記録装置としては、たとえば特許文献１に開示されたものがある。このホログラム記録装置は、光源から発せられたレーザ光をハーフミラーによって２方向に分離し、分離された一方の光を液晶デバイスからなる空間光変調器で変調する。空間光変調器によって変調された光は、記録情報を２値（明暗）の画素パターンで表した離散的な光となり、この光が信号光としてホログラム記録媒体に照射される。上記ハーフミラーによって分離された他方の光は、参照光としてホログラム記録媒体上で信号光と重なるように照射される。これにより、ホログラム記録媒体には、信号光と参照光との干渉縞からなるホログラムが記録される。【０００３】
【特許文献１】特開２００２−２１６３５９号公報
【０００４】
しかしながら、上記従来のホログラム記録装置では、空間光変調器で明暗の画素パターンをなすように信号光が離散的に間引かれるので、空間光変調器における光量の損失が総じて大きい。そのため、光量の損失をできる限り抑えて光の利用効率を高める余地があった。【０００５】
具体的には、たとえば、光源の光量を１００％、そのうちパワーモニタ用に取り出される光量を１５％、媒体に達する信号光および参照光の光量の比を１：２、空間光変調器の各画素における実質的な透過率を８０％、空間光変調器で明暗の画素パターンを形成する方法として、４画素のブロックごとに１画素のみを明状態として２ビットのコードを表現する２／４符号化方法を適用するものとし、有効画素領域において光が透過する領域の割合を２５％と想定し、その他ハーフミラーなどによる光量の損失を無視した場合を考える。このような場合、媒体に達する参照光の光量が２４．３％、空間光変調器に入射する光量が６０．７％、空間光変調器から出射して媒体に達する信号光の光量が１２．１％になる。すなわち、空間光変調器による光量の損失は、６０．７−１２．１＝４８．６％となり、光源から発せられたうちの約半分の光が無駄になる。
【発明の開示】
【０００６】
本発明は、上記した事情のもとで考え出されたものである。本発明は、光量の損失を抑えて光の利用効率をより高めることができるホログラム記録装置を提供することをその課題としている。
【０００７】
上記課題を解決するため、本発明では、次の技術的手段を講じている。
【０００８】
本発明の第１の側面により提供されるホログラム記録装置は、コヒーレントな光を発する光源と、この光源からの光を多分割された単位区画ごとに主となる出射方向および所定の切り捨て方向のいずれか一方に反射する複数の光反射素子を有し、上記出射方向に進む光を信号光として出射する空間光変調器と、上記信号光をホログラム記録媒体に照射するための信号光学系とを備えたホログラム記録装置であって、上記空間光変調器の光反射素子によって上記所定の切り捨て方向に間引かれた光を集光し、当該光の波面を整形する波面整形手段と、上記波面整形手段から出射した光を参照光として上記ホログラム記録媒体上で上記信号光と重なるように照射するための参照光学系とを備えていることを特徴としている。
【０００９】
好ましくは、上記波面整形手段は、光を集光する集光レンズ、この集光レンズの焦点に位置する光学フィルタ、および当該光学フィルタからの光を平行光として出射するコリメータレンズにより構成されている。
【００１０】
好ましくは、上記光源の出力状態を監視するためのパワーモニタ用受光センサを備え、上記光学フィルタには、低周波成分の光を透過して上記コリメータレンズへと導く中央透過部と、この中央透過部の周辺で高周波成分の光を反射して上記パワーモニタ用受光センサへと導く周辺反射部とが設けられている。
【００１１】
好ましくは、上記光源の出力状態を監視するためのパワーモニタ用受光センサを備え、上記光学フィルタには、低周波成分の光を反射して上記コリメータレンズへと導く中央反射部と、この中央反射部の周辺で高周波成分の光を透過して上記パワーモニタ用受光センサへと導く周辺透過部とが設けられている。
【００１２】
好ましくは、上記光学フィルタには、低周波成分の光を通して上記コリメータレンズへと導くピンホールが設けられている。
【００１３】
好ましくは、上記光源の出力状態を監視するためのパワーモニタ用受光センサを備え、上記参照光学系には、上記コリメータレンズから出射した光の一部を反射あるいは透過して上記パワーモニタ用受光センサに導くためのハーフミラーが設けられている。
【００１４】
本発明の第２の側面により提供されるホログラム記録装置は、コヒーレントな光を発する光源と、この光源からの光を２方向に分離するビームスプリッタと、このビームスプリッタで分離された一方の光を多分割された単位区画ごとに主となる出射方向および所定の切り捨て方向のいずれか一方に反射する複数の光反射素子を有し、上記出射方向に進む光を信号光として出射する空間光変調器と、上記信号光をホログラム記録媒体に照射するための信号光学系と、上記ビームスプリッタで分離された他方の光を参照光として上記ホログラム記録媒体上で上記信号光と重なるように照射するための参照光学系と、上記光源の出力状態を監視するためのパワーモニタ用受光センサとを備えたホログラム記録装置であって、上記空間光変調器の光反射素子によって上記所定の切り捨て方向に間引かれた光を集光し、当該光を上記パワーモニタ用受光センサに導くためのパワーモニタ光学系を備えていることを特徴としている。
【００１５】
本発明の第３の側面により提供されるホログラム記録装置は、コヒーレントな光を発する光源と、この光源からの光を２方向に分離するビームスプリッタと、このビームスプリッタで分離された一方の光を多分割された単位区画ごとに主となる出射方向および所定の切り捨て方向のいずれか一方に反射する複数の光反射素子を有し、上記出射方向に進む光を信号光として出射する空間光変調器と、上記信号光をホログラム記録媒体に照射するための信号光学系と、上記ビームスプリッタで分離された他方の光を参照光として上記ホログラム記録媒体上で上記信号光と重なるように照射するための参照光学系と、上記ホログラム記録媒体に対する上記信号光学系および参照光学系の相対的な位置あるいは姿勢を制御するためのサーボ用受光センサとを備えたホログラム記録装置であって、上記空間光変調器の光反射素子によって上記所定の切り捨て方向に間引かれた光を集光し、当該光の波面を整形する波面整形手段と、上記波面整形手段から出射した光をサーボ光として上記ホログラム記録媒体に照射し、それに応じて当該ホログラム記録媒体から戻ってきた光を上記サーボ用受光センサに導くためのサーボ光学系とを備えていることを特徴としている。
【００１６】
好ましくは、上記波面整形手段は、光を集光する集光レンズ、この集光レンズの焦点に位置する光学フィルタ、および当該光学フィルタからの光を平行光として出射するコリメータレンズにより構成されている。
【００１７】
好ましくは、上記光学フィルタには、低周波成分の光を通して上記コリメータレンズへと導くピンホールが設けられている。
【図面の簡単な説明】
【００１８】
【図１】本発明の第１実施形態に係るホログラム記録装置の構成図である。
【図２】図１に示す空間光変調器の平面図である。
【図３】図１に示す空間光変調器の部分斜視図である。
【図４】図３のIV−IVに沿う断面図である。
【図５】図１に示す光学フィルタの平面図である。
【図６】本発明の第２実施形態に係るホログラム記録装置の要部構成図である。
【図７】本発明の第３実施形態に係るホログラム記録装置の構成図である。
【図８】本発明の第４実施形態に係るホログラム記録装置の構成図である。
【図９】本発明の第５実施形態に係るホログラム記録装置の構成図である。
【発明を実施するための最良の形態】
【００１９】
以下、本発明の好ましい実施の形態を、図面を参照して具体的に説明する。図１〜５は、本発明に係るホログラム記録装置の第１実施形態を示している。【００２０】
図１に示すように、ホログラム記録装置Ａ１は、ディスク状のホログラム記録媒体Ｂ（同図には一部を示す）に対してホログラムを記録するものであり、記録されたホログラムを再生可能にも構成されたものである。このホログラム記録装置Ａ１は、光源１０、コリメータレンズ１１、空間光変調器２０、信号・再生光学系のハーフミラー３０および対物レンズ３１、再生光学系の集光レンズ３２、再生用受光センサ３３、波面整形用としての集光レンズ４０、光学フィルタ４１およびコリメータレンズ４２、参照光学系のガルバノミラー５０および対物レンズ５１、パワーモニタ光学系のリレーレンズ６０，６１、ならびにパワーモニタ用受光センサ６２を有して構成されている。その他、ホログラム記録装置Ａ１には、ホログラム記録媒体Ｂを回転させるための回転機構や、ホログラム記録媒体Ｂに対して対物レンズ３１，５１の相対的な位置や姿勢を制御するためのサーボ機構が設けられている（図示略）。【００２１】
ホログラム記録媒体Ｂは、一例として、支持基板層１００、反射層１０１、ホログラム記録層１０２、および透明基板層１０３をその順に積層した構造をもつ。ホログラム記録層１０２には、信号光と参照光とを重なるように照射することで干渉縞としてのホログラムが記録される。反射層１０１には、エンボスピットが形成されている（図示略）。エンボスピットは、反射光の変化によってトラック制御やフォーカス制御、さらにはチルト制御といったサーボ制御を行うために設けられている。【００２２】
光源１０は、たとえば半導体レーザ素子からなり、比較的帯域が狭く干渉性の高いレーザ光を発する。コリメータレンズ１１は、光源１０のレーザ光を平行光に変換する。コリメータレンズ１１から出射した平行光は、空間光変調器２０へと進む。【００２３】
空間光変調器２０は、図２および図３に示すように、多数の光反射素子２１が主面２０ａに配列されたデフォーマブルミラーデバイスからなる。空間光変調器２０の主面２０ａは、ホログラム記録媒体Ｂに対して概ね平行をなす。図４に示すように、光反射素子２１は、対角線上の回転軸２１ａを支軸に主面２０ａに対してオン／オフの所定角度＋θ／−θに振られる。入射光のうち、オンの角度＋θの光反射素子２１で反射した光は、ホログラム記録媒体Ｂに対して垂直な主方向に進む信号光となる。一方、オフの角度−θの光反射素子２１で反射した光は、主方向とは異なる切り捨て方向に進行し、ホログラム記録媒体Ｂ上で信号光に対して重なるように照射するための参照光や、パワーモニタ用の光として有効に利用される。すなわち、入射光は、主面２０ａの法線に対してなす角が２θであり、信号光は、主面２０ａの法線方向に一致した主方向に進み、参照光などは、主面２０ａの法線に対してなす角が４θとなる切り捨て方向に進む。【００２４】
このような空間光変調器２０では、記録すべき情報に応じて２値（明暗）の画素パターンとなる離散的な光が生成される。本実施形態では、図２に一例として示すように、明暗の画素パターンを形成する方法として、４つの光反射素子２１を１ブロックとし、そのブロックごとに１つの光反射素子２１のみを明状態として２ビットのコードを表現する２／４符号化方法を用いる。なお、図２には、明状態として信号光を発する光反射素子２１を黒く塗りつぶした区画で示し、暗状態として参照光などを発する光反射素子２１を白抜きの区画で示す。符号化効率としては、明暗の画素を逆にしても同じである。このような２／４符号化方法によれば、有効画素領域Ｔにおいて信号光を発する領域（図２における黒塗りの区画領域）の割合が常に２５％となり、参照光などを発する領域（図２における白抜きの区画領域）の割合が７５％となる。ただし、各光反射素子２１の実質的な反射率などを示すフィルファクタ（Fill Factor ）は、８０％程度となっている。図２に示すように、光反射素子２１の縦横の寸法をｓとし、その面積をｓ×ｓ＝Ｓとした場合、実質的に反射に寄与する面積は、０．８Ｓ程度である。【００２５】
空間光変調器２０から主面２０ａの法線方向（主方向）に出射した信号光は、ハーフミラー３０を透過し、さらに信号・再生光学系の対物レンズ３１を通ってホログラム記録媒体Ｂに照射される。再生時には、ホログラム記録媒体Ｂにおいて参照光がホログラムと干渉することで再生光が生じ、この再生光が対物レンズ３１、ハーフミラー３０、および再生光学系の集光レンズ３２を通って再生用受光センサ３３に受光される。【００２６】
空間光変調器２０から主面２０ａの法線に対して４θの角度をなす切り捨て方向に出射した参照光などは、波面整形用の集光レンズ４０によって集光される。波面整形用の集光レンズ４０は、焦点距離が比較的大きく、光学的にそれほど高性能でないレンズが用いられる。集光レンズ４０の焦点位置には、光学フィルタ４１が配置されている。光学フィルタ４１は、集光レンズ４０の焦点面に対して傾いた状態で設置されている。図５に示すように、光学フィルタ４１には、光を透過して波面整形用のコリメータレンズ４２へと進行させる中央透過部４１Ａと、この中央透過部４１Ａの周辺で光を反射してパワーモニタ用受光センサ６２へと進行させる周辺反射部４１Ｂとが設けられている。中央透過部４１Ａは、ピンホール程度に小さく形成されている。このような波面整形用の集光レンズ４０と光学フィルタ４１との組み合わせにより、空間光変調器２０によって離散的に間引かれた光でも、光学フィルタ４１の中央透過部４１Ａで波面が整形された低周波成分の光として抽出され、この光は、空間光変調器２０に入射する前の光の強度分布と同程度に強度分布が均一化されたものとなる。この中央透過部４１Ａで抽出されてコリメータレンズ４２へと進行する光が参照光として用いられる。周辺反射部４１Ｂで抽出されてパワーモニタ用受光センサ６２へと進行する光は、高周波成分をもつパワーモニタ光として用いられる。【００２７】
波面整形用のコリメータレンズ４２によって平行光とされた参照光は、ガルバノミラー５０に反射され、さらに参照光学系の対物レンズ５１を通ってホログラム記録媒体Ｂに照射される。ガルバノミラー５０は、ホログラム記録媒体Ｂに対する参照光の入射角を変化される。記録時の場合、ホログラム記録媒体Ｂにおいて信号光と参照光が重なるホログラム記録層１０２には、参照光の入射角に応じた異なるパターンのホログラムが多重記録される。再生時の場合、参照光の入射角に応じて異なるパターンの再生光が発せられ、その都度、再生光が再生用受光センサ３３によって受光される。これにより、ホログラムとして多重記録された情報が読み出される。【００２８】
パワーモニタ光は、リレーレンズ６０，６１を介してパワーモニタ用受光センサ６２に受光される。このパワーモニタ用受光センサ６２は、記録時や再生時における光源１０の出力状態を監視するために用いられる。【００２９】
次に、上記ホログラム記録装置Ａ１の作用について説明する。【００３０】
たとえば、記録時において、光源１０の光量を１００％、空間光変調器２０に２／４符号化方法を適用し、有効画素領域Ｔにおいて信号光が発せられる領域の割合を２５％（参照光およびパワーモニタ光が発せられる領域の割合が７５％）、光反射素子２１のフィルファクタを８０％、ホログラム記録媒体Ｂに達する信号光および参照光の光量の比を１：２と想定し、空間光変調器２０や光学フィルタ４１以外の光学部品による光量の損失を無視した場合を考える。【００３１】
この場合、ホログラム記録媒体Ｂに達する信号光の理想的な光量としては、光源１０の光量（１００％）に対して２０％となり、光量の比を１：２とすることから、ホログラム記録媒体Ｂに達する参照光の光量は、光源１０の光量に対して４０％となる。空間光変調器２０から出て波面整形用の集光レンズ４０に入射する光（参照光とパワーモニタ光に分離される前の光）の光量は、光源１０の光量に対して６０％となる。そのうち、パワーモニタ光となる光量を１５％とすると、６０−４０−１５＝５％の光量が光学フィルタ４１による損失分となる。また、空間光変調器２０による損失分は、１００−２０−６０＝２０％である。よって、空間光変調器２０と光学フィルタ４１との損失分を合わせた総損失量は、２５％となる。【００３２】
この本実施形態における光の総損失量（２５％）は、約半分（４８．６％）の光を無駄にしていた従来のものと比べて格段に小さい。ホログラム記録媒体Ｂに達する信号光や参照光の光量を比較しても、従来では信号光の光量１２．１％に対して本実施形態では２０％と大きく、参照光の光量でも従来の２４．３％に対して４０％と大きくなっている。これにより、記録時には、信号光および参照光が十分な光量をもってホログラム記録媒体Ｂに照射され、ホログラム記録層１０２に対して確実にホログラムが記録される。【００３３】
記録時や再生時には、光学フィルタ４１の中央透過部４１Ａで抽出された光が参照光としてホログラム記録媒体Ｂに照射される。この参照光は、波面整形用の集光レンズ４０や光学フィルタ４１によって強度分布が均一化された光になるため、ホログラム記録媒体Ｂ上における光の干渉性に支障をきたすことはない。つまり、記録時には、参照光と信号光とが効率よく干渉することでホログラムが記録され、再生時には、記録済みのホログラムに対して参照光が効率よく干渉することで再生光が発せられる。【００３４】
したがって、本実施形態のホログラム記録装置Ａ１によれば、空間光変調器２０で離散的な信号光を生成するために信号光とは異なる切り捨て方向に間引かれた光でも参照光やパワーモニタ光として有効に利用されるので、光量の損失を抑えて光の利用効率をより高めることができる。ひいては、ホログラム記録媒体Ｂに達する信号光や参照光の光量を十分なレベルとし、確実にホログラムの記録や再生を行うことができる。【００３５】
なお、空間光変調器によって切り捨て方向に間引かれた光は、参照光のみとして利用するようにしてもよい。【００３６】
図６〜９は、本発明に係るホログラム記録装置の他の実施形態を示している。なお、上記第１実施形態によるものと同一または類似の構成要素については、同一符号を付し、その説明を省略する。【００３７】
図６に示すように、第２実施形態のホログラム記録装置Ａ２では、光学フィルタ４１の構成が第１実施形態によるものと逆になっている。すなわち、光学フィルタ４１には、光を反射して波面整形用のコリメータレンズ４２へと進行させる中央反射部４１Ａ’と、この中央反射部４１Ａ’の周辺で光を透過してパワーモニタ用受光センサ６２へと進行させる周辺透過部４１Ｂ’とが設けられている。中央反射部４１Ａ’は、ピンホール程度に小さく形成されている。このような波面整形用の集光レンズ４０と光学フィルタ４１との組み合わせによっても、光学フィルタ４１の中央反射部４１Ａ’で波面が整形された低周波成分の光が抽出され、この光は、空間光変調器２０に入射する前の光の強度分布と同程度に強度分布が均一化されたものとなる。この中央反射部４１Ａ’で抽出されてコリメータレンズ４２へと進行する光が参照光として用いられる。参照光は、反射板４２Ａを介してガルバノミラー５０に入射する。周辺透過部４１Ｂ’で抽出された高周波成分のパワーモニタ光は、リレーレンズ６０，６１を介してパワーモニタ用受光センサ６２に受光される。【００３８】
このようなホログラム記録装置Ａ２でも、第１実施形態によるものと同様の効果を得ることができる。【００３９】
図７に示すように、第３実施形態のホログラム記録装置Ａ３では、波面整形用の集光レンズ４０の焦点面にピンホール４１Ｃを有する光学フィルタ４１が設けられている。この光学フィルタ４１とガルバノミラー５０との間には、ピンホール４１Ｃを通過した光を参照光とパワーモニタ光とに分離するためのハーフミラー４３が配置されている。【００４０】
光学フィルタ４１のピンホール４１Ｃによれば、空間光変調器２０によって離散的に間引かれた光でも、波面が整形された低周波成分の光として抽出され、この光は、空間光変調器２０に入射する前の光の強度分布と同程度に強度分布が均一化されたものとなる。このようなピンホール４１Ｃを経てコリメータレンズ４２で平行光とされた光は、ハーフミラー４３によって参照光とパワーモニタ光とに分離される。参照光は、ガルバノミラー５０および参照光学系の対物レンズ５１を介してホログラム記録媒体Ｂに照射される。パワーモニタ光は、パワーモニタ光学系の集光レンズ６３を介してパワーモニタ用受光センサ６２に受光される。【００４１】
このようなホログラム記録装置Ａ３でも、空間光変調器２０で信号光と異なる切り捨て方向に間引かれた光が参照光やパワーモニタ光として有効に利用されるので、第１実施形態などと同様に光量の損失を抑えて光の利用効率をより高めることができ、確実にホログラムの記録や再生を行うことができる。【００４２】
図８に示すように、第４実施形態のホログラム記録装置Ａ４では、コリメータレンズ１１と空間光変調器２０との間にビームスプリッタ１２が配置されている。ビームスプリッタ１２は、コリメータレンズ１１から出射した平行光を２方向に分離し、一方の光を空間光変調器２０へと進行する光とし、他方の光を参照光として分離するものである。【００４３】
ビームスプリッタ１２で分離された参照光は、反射板１３を介してガルバノミラー５０に入射され、さらに参照光学系の対物レンズ５１を経てホログラム記録媒体Ｂに照射される。【００４４】
ビームスプリッタ１２から出て空間光変調器２０に入射する光は、主面２０ａの法線に対してなす角が２θとなっている。空間光変調器２０においては、オンの角度＋θの光反射素子２１で反射した光がホログラム記録媒体Ｂに対して垂直な主方向に進む信号光となる。オフの角度−θの光反射素子２１で反射した光は、パワーモニタ光として用いられる。パワーモニタ光は、主面２０ａの法線に対してなす角が４θとなる切り捨て方向に進み、パワーモニタ光学系の集光レンズ６３を介してパワーモニタ用受光センサ６２に受光される。すなわち、本実施形態では、空間光変調器２０によって信号光とは異なる切り捨て方向に間引かれた光をパワーモニタ光として利用する。【００４５】
このようなホログラム記録装置Ａ４によれば、空間光変調器２０で信号光とは異なる切り捨て方向に間引かれた光がパワーモニタ光として有効に利用されるので、光量の損失を抑えて光の利用効率をより高めることができる。【００４６】
図９に示すように、第５実施形態のホログラム記録装置Ａ５では、空間光変調器２０によって信号光とは異なる切り捨て方向に間引かれた光がサーボ光として利用されるように構成されている。サーボ機構を構成する要素としては、波面整形用の集光レンズ４０、光学フィルタ４１、およびコリメータレンズ４２、サーボ光学系の反射板７０、ハーフミラー７１、対物レンズ７２、およびビームスプリッタ７３、受光用の集光レンズ７４，７５、２分割受光センサ７６、ならびに４分割受光センサ７７が設けられている。【００４７】
波面整形用のコリメータレンズ４２によって平行光とされたサーボ光は、反射板７０を経てハーフミラー７１を透過し、さらにサーボ光学系の対物レンズ７２を通ってホログラム記録媒体Ｂに照射される。ホログラム記録媒体Ｂにおいては、エンボスピット（図示略）でサーボ光が反射し、この反射したサーボ光が対物レンズ７２、ハーフミラー７１、およびサーボ光学系のビームスプリッタ７３の順に進行する。ビームスプリッタ７３は、入射したサーボ光を２方向に分離する。ビームスプリッタ７３で分離された一方の光は、集光レンズ７４を介して２分割受光センサ７６に受光され、他方の光は、集光レンズ７５を介して４分割受光センサ７７に受光される。２分割受光センサ７６の出力信号は、トラック制御やチルト制御に用いられ、４分割受光センサ７７の出力信号は、フォーカス制御に用いられる。【００４８】
このようなホログラム記録装置Ａ５によれば、空間光変調器２０で信号光とは異なる切り捨て方向に間引かれた光がサーボ光として有効に利用されるので、光量の損失を抑えて光の利用効率をより高めることができる。
【図１】
0004460607.tif 000002
【図２】
0004460607.tif 000003
【図３】
0004460607.tif 000004
【図４】
0004460607.tif 000005
【図５】
0004460607.tif 000006
【図６】
0004460607.tif 000007
【図７】
0004460607.tif 000008
【図８】
0004460607.tif 000009
【図９】
0004460607.tif 000010